(57)【要約】【課題】外部機器により使用された電力量を個別に測定する測定機器を使用せず、当該外部機器により使用された電力量を一括に算出し、当該算出された結果を表示する。【解決手段】外部機器を制御する制御装置に接続されたプログラマブル表示器であって、当該プログラマブル表示器に接続された基幹電源部から基幹電力を取得し、この取得された基幹電力を前記制御装置に出力する基幹電力供給部と、前記基幹電力に基づいて使用される使用電力量を計測する使用電力量計測部と、前記プログラマブル表示器の使用時間を計測する使用時間計測部と、前記使用電力量計測部により計測された使用電力量及び前記時間計測部により計測された使用時間に基づき、前記制御装置を介して接続された前記外部機器により使用された累計使用電力量を算出する算出部とを備える。【選択図】図１
2011089911.tif 000002
【特許請求の範囲】
【請求項１】
外部接続機器を制御する制御装置に接続されたプログラマブル表示器であって、
当該プログラマブル表示器に接続された基幹電源部から基幹電力の供給を受け、この供給された基幹電力を前記制御装置に出力する基幹電力供給部と、
前記基幹電力に基づいて使用される使用電力量を計測する使用電力量計測部と、
前記使用電力量計測部により計測された使用電力量に基づき、前記制御装置を介して接続された前記外部接続機器により使用された累計使用電力量を算出する算出部と、
を備えることを特徴とするプログラマブル表示器。
【請求項２】
請求項１に記載のプログラマブル表示器であって、
当該プログラマブル表示器の使用時間を計測する使用時間計測部と、を更に備え、
前記算出部は、前記使用電力量計測部により計測された使用電力量、及び前記使用時間計測部により計測された使用時間に基づき、前記累計使用電力量を算出することを特徴とするプログラマブル表示器。
【請求項３】
請求項１又は２に記載のプログラマブル表示器であって、
前記算出部により算出された累計使用電力量を所定の管理装置に伝送する通信部と、
を更に備えることを特徴とするプログラマブル表示器。
【請求項４】
請求項３に記載のプログラマブル表示器であって、
前記通信部と前記所定の管理装置とのいずれかを、前記伝送におけるマスター又はスレーブのいずれかに設定する伝送設定部と、
を更に備えることを特徴とするプログラマブル表示器。
【請求項５】
請求項１〜４のいずれか一項に記載のプログラマブル表示器であって、
前記算出部により算出された累計使用電力量と、前記使用時間計測部により計測された使用時間とを表示する表示部と、
を更に備えることを特徴とするプログラマブル表示器。
【請求項６】
請求項１〜５のいずれか一項に記載のプログラマブル表示器であって、
前記算出部により算出された累計使用電力量が所定値未満か否かを判定する判定部と、
前記判定部により前記累計使用電力量が所定値未満と判定された場合に、アラートを通知するアラート表示部と、
前記アラート表示部により通知されたアラートの内容を記憶するアラート記憶部と、
を更に備えることを特徴とするプログラマブル表示器。
【請求項７】
請求項１〜５のいずれか一項に記載のプログラマブル表示器であって、
前記算出部により算出された累計使用電力量が所定値以上か否かを判定する判定部と、
前記判定部により前記累計使用電力量が所定値以上と判定された場合に、アラートを表示するアラート表示部と、
前記アラート表示部により表示されたアラートの内容を記憶するアラート記憶部と、
を更に備えることを特徴とするプログラマブル表示器。
【請求項８】
請求項３〜７のいずれか一項に記載のプログラマブル表示器であって、
前記通信部は、所定のタイミングに基づいて、前記算出された累計使用電力量を前記所定の管理装置に伝送することを特徴とするプログラマブル表示器。
【請求項９】
所定の外部接続機器を制御する制御装置と、当該制御装置に接続されたプログラマブル表示器とを含む使用電力量算出システムであって、
前記プログラマブル表示器は、
当該プログラマブル表示器と接続された基幹電源部から基幹電力の供給を受け、この供給された基幹電力を前記制御装置に出力する基幹電力供給部と、
前記基幹電力に基づいて使用される使用電力量を計測する使用電力量計測部と、
前記使用電力量計測部により計測された使用電力量に基づき、前記制御装置を介して接続された前記外部接続機器により使用された累計使用電力量を算出する算出部と、
を備え、
前記制御装置は、
前記基幹電力供給部により出力された前記基幹電力の供給を受け、この供給された基幹電力に基づいて前記所定の外部接続機器を制御することを特徴とする使用電力量算出システム。
【発明の詳細な説明】
【技術分野】
【０００１】
本発明は、複数の外部接続機器で使用された累計使用電力量を一括に算出して表示するプログラマブル表示器及び使用電力量算出システムに関する。
【背景技術】
【０００２】
近年、地球温暖化に対する対策の一つとして、地球温暖化の原因の一つとして指摘されている二酸化炭素（ＣＯ２）等の排出量を抑制することが挙げられている。世界中で二酸化炭素等の排出量が増大している昨今において、例えば産業界では、二酸化炭素等の排出量を抑制するため、市販製品の使用電力量、又は生産工場若しくは物流の各現場における設備機器等の使用電力量を抑制する取り組みが行われている。
【０００３】
生産工場等の現場における複数の設備機器等の使用電力量は、当該設備機器ごとに使用電力量を計測するために導入された複数の電力量測定機器の測定結果に基づいて把握される。この各々の電力量測定機器による測定結果は、当該電力量測定機器と接続されているＰＬＣ（プログラマブルロジックコントローラ）で統計等の演算が行われ、当該結果がプログラマブル表示器により表示される。プログラマブル表示器は、ＬＣＤ（液晶ディスプレイ）等の表示デバイスの上にタッチパネル等の操作入力デバイスを搭載した表示部を備え、ＰＬＣ等の外部機器と接続され、当該ＰＬＣに接続された複数の設備機器等の操作又は動作状況を表示する。
【０００４】
この種のプログラマブル表示器として、表示デバイス及び操作入力デバイスを有する表示部の他に、オペレーションシステムプログラムを保存したシステムメモリ、当該オペレーションシステムプログラムに基づいてシステム全体を制御する制御部、外部機器と接続され、その外部機器との間でデータを送受信する通信部、表示部の表示画面の設定情報を記憶する設定記憶メモリ等を備えたものが存在する（例えば、特許文献１参照）。
【０００５】
表示部の表示画面には、設定情報に基づいて、外部接続機器の操作用の操作ボタン又は操作スイッチ等の操作部材、各種表示用の文字又は画像等の表示シンボル等が表示される。表示画面の操作部材等の表示領域がタッチされることにより、表示画面上の操作入力デバイス及び制御部によって操作部材に対応する操作入力信号が生成され、通信部より出力されて外部接続機器に出力される。
【先行技術文献】
【特許文献】
【０００６】
【特許文献１】特開平１１−４５１１０号公報
【発明の概要】
【発明が解決しようとする課題】
【０００７】
しかしながら、上記したように、生産工場では、設備機器の使用電力量を測定するための電力量測定機器が当該設備機器ごとに導入されるため、当該電力量測定機器を導入するためのコストが高くなるという問題点がある。更に、電力量測定機器が設備機器ごとに測定された場合には、当該各々の電力量測定機器による測定結果を集計するための装置又はソフトウェア等が別途必要になるため、更に導入するためのコストが増える。また、生産工場の状況等においては、設備機器ごとの個々の使用電力量ではなく、当該工場における設備機器全体の使用電力量を計測するニーズもある。したがって、生産工場における設備機器の使用電力量を一括に測定することが求められる。
【０００８】
本発明は、上記した従来の事情に鑑みてなされたもので、その目的は、外部接続機器により使用された電力量を個別に測定する電力量測定機器を導入せず、当該外部接続機器により使用された電力量を一括に算出し、当該算出された結果を表示するプログラマブル表示器及び使用電力量算出システムを提供することである。
【課題を解決するための手段】
【０００９】
本発明のプログラマブル表示器は、外部接続機器を制御する制御装置に接続されたプログラマブル表示器であって、当該プログラマブル表示器に接続された基幹電源部から基幹電力の供給を受け、この供給された基幹電力を前記制御装置に出力する基幹電力供給部と、前記基幹電力に基づいて使用される使用電力量を計測する使用電力量計測部と、前記プログラマブル表示器の使用時間を計測する使用時間計測部と、前記使用電力量計測部により計測された使用電力量及び前記時間計測部により計測された使用時間に基づき、前記制御装置を介して接続された前記外部接続機器により使用された累計使用電力量を算出する算出部と、を備える。
【００１０】
また、本発明のプログラマブル表示器は、前記算出部により算出された累計使用電力量を所定の管理装置に伝送する通信部と、を更に備える。
【００１１】
また、本発明のプログラマブル表示器は、前記通信部と前記所定の管理装置とのいずれかを、前記伝送におけるマスター又はスレーブのいずれかに設定する伝送設定部と、を更に備える。
【００１２】
また、本発明のプログラマブル表示器は、前記算出部により算出された累計使用電力量と、前記使用時間計測部により計測された使用時間とを表示する表示部と、を更に備える。
【００１３】
また、本発明のプログラマブル表示器は、前記算出部により算出された累計使用電力量が所定値未満か否かを判定する判定部と、前記判定部により前記累計使用電力量が所定値未満と判定された場合に、アラートを通知するアラート通知部と、前記アラート通知部により通知されたアラートの内容を記憶するアラート記憶部と、を更に備える。
【００１４】
また、本発明のプログラマブル表示器は、前記算出部により算出された累計使用電力量が所定値以上か否かを判定する判定部と、前記判定部により前記累計使用電力量が所定値以上と判定された場合に、アラートを通知するアラート通知部と、前記アラート通知部により通知されたアラートの内容を記憶するアラート記憶部と、を更に備える。
【００１５】
また、本発明のプログラマブル表示器は、前記通信部は、所定のタイミングに基づいて、前記算出された累計使用電力量を前記所定の管理装置に伝送する。
【００１６】
更に、本発明の使用電力量算出システムは、所定の外部接続機器を制御する制御装置と、当該制御装置に接続されたプログラマブル表示器とを含む使用電力量算出システムであって、前記プログラマブル表示器は、当該プログラマブル表示器と接続された基幹電源部から基幹電力の供給を受け、この供給された基幹電力を前記制御装置に出力する基幹電力供給部と、前記基幹電力に基づいて使用される使用電力量を計測する使用電力量計測部と、前記プログラマブル表示器の使用時間を計測する使用時間計測部と、前記使用電力量計測部により計測された使用電力量及び前記時間計測部により計測された使用時間に基づき、前記制御装置を介して接続された前記外部接続機器により使用された累計使用電力量を算出する算出部と、を備え、前記制御装置は、前記基幹電力供給部により出力された前記基幹電力の供給を受け、この供給された基幹電力に基づいて前記所定の外部接続機器を制御する。
【発明の効果】
【００１７】
本発明に係るプログラマブル表示器及び使用電力量算出システムによれば、外部接続機器により使用された電力量を個別に測定する電力量測定機器を導入せず、当該外部接続機器により使用された電力量を一括に算出し、当該算出された結果を表示することができる。
【図面の簡単な説明】
【００１８】
【図１】第１の実施形態の使用電力量算出システムの全体構成を示すシステム構成図。
【図２】第１の実施形態の使用電力量算出システムの模範的な構成の一例を示す図。
【図３】第１の実施形態のプログラマブル表示器の内部構成を示すブロック図。
【図４】第１の実施形態のプログラマブル表示器の表示部に表示された使用電力量算出結果の一例を示す図。
【図５】第１の実施形態のプログラマブル表示器の表示部に表示された使用電力量算出結果の別の一例を示す図。
【図６】第１の実施形態のプログラマブル表示器の動作を説明するフローチャート。
【発明を実施するための形態】
【００１９】
以下、本発明の実施形態について、図面を参照して説明する。
【００２０】
（第１の実施形態）
図１は、第１の実施形態の使用電力量算出システム１０の全体構成を示すシステム構成図である。使用電力量算出システム１０は、基幹電源部９０、プログラマブル表示器１００、ＰＬＣ２００、ＰＣ１３０及び外部接続機器５００を有する。外部接続機器５００は、ＰＬＣ２００により制御される各種の計測機器等の総称である。具体的には、外部接続機器５００は、コンベヤ５０１、計測器５０２、バーコードリーダ５０３、レーザーマーカ５０４、画像処理機５０５、ＲＦＩＤリーダ５０６及びセンサ５０７等により構成される。ただし、外部接続機器５００は、上記した各種の計測機器以外の計測機器を含むようにしても構わない。図２は、第１の実施形態の使用電力量算出システム１０の模範的な構成の一例を示す図面である。図２は、図１に示した第１の実施形態の使用電力量算出システム１０における基幹電源部９０、プログラマブル表示器１００及びＰＬＣ２００の配線の様子をより具体的に示したものである。
【００２１】
基幹電源部９０は、生産工場等における基幹電源（分電盤等）であり、基幹電源により生じる所定の基幹電力（交流電流）をプログラマブル表示器１００に供給する。プログラマブル表示器１００は、基幹電源部９０とＰＬＣ２００との間で電気的に接続されている。プログラマブル表示器１００には、基幹電源部９０により供給された基幹電力が入力される。この入力された基幹電力は、プログラマブル表示器１００を介してＰＬＣ２００に出力される。また、プログラマブル表示器１００は、ネットワークを介してＰＣ１３０と接続されている。プログラマブル表示器１００の内部構成は後述する。
【００２２】
ＰＬＣ２００には、プログラマブル表示器１００により出力された基幹電力（交流電流）が入力される。ＰＬＣ２００は、この入力された基幹電力（交流電流）を直流電流に整流し、この整流された直流電流に基づいて、外部接続機器５００それぞれの動作を制御する。図１に示すように、ＰＬＣ２００と、外部接続機器５００とは電気的に並列接続されている。
【００２３】
ＰＣ１３０は、プログラマブル表示器１００の使用状況を日常的に又は定期的に管理するために設けられたものである。ＰＣ１３０は、プログラマブル表示器１００により算出された外部接続機器５００の使用電力量、当該算出されたときの時刻、及び当該使用電力量の使用時間の条件を、プログラマブル表示器１００を介して取得する。以下の説明において、この算出された使用電力量、当該算出されたときの時刻、及び当該使用電力量の使用時間の条件を「使用電力量算出結果」という。ＰＣ１３０は、この取得された使用電力量算出結果をログとして当該ＰＣ１３０内の記憶部（不図示）に記憶する。
【００２４】
コンベヤ５０１、計測器５０２、バーコードリーダ５０３、レーザーマーカ５０４、画像処理機５０５、ＲＦＩＤリーダ５０６及びセンサ２００等により構成される外部接続機器５００には、上記したとおり、基幹電源部９０により供給された基幹電力が入力される。この基幹電力に基づいて、ＰＬＣ２００の下で当該外部接続機器５００の動作が制御される。また、外部接続機器５００の各機器に関する内容は本発明の内容と直接関連しないため、当該内容の説明は省略する。
【００２５】
プログラマブル表示器１００の内部構成に関して、図３を参照して説明する。図３は、第１の実施形態の使用電力量算出システム１０におけるプログラマブル表示器１００の内部構成を示すブロック図である。プログラマブル表示器１００は、図３に示すように、制御部１０１、基幹電力供給部１０２、使用電力量計測部１０３、指示入力部１０４、表示部１０５、外部通信部１０６、メモリ部１０７、タイマー部１０８及び累計使用電力量算出部１０９を有する。
【００２６】
制御部１０１は、プログラマブル表示器１００内の各部１０２〜１０９を制御する。制御部１０１は、プログラマブル表示器１００の電源がＯＮされた場合には、タイマー部１０８より当該電源がＯＮされたときのシステム開始時刻を取得すると共に、基幹電源部９０により供給された基幹電力に基づいてプログラマブル表示器１００全体を起動する制御を行う。
【００２７】
また、プログラマブル表示器１００の電源がＯＮされ、且つ、当該電源がＯＦＦされるまでの間では、制御部１０１は、指示入力部１０４又はタイマー部１０８からの入力信号に基づいて、各部１０２〜１０９へ当該各部１０２〜１０９をそれぞれ制御するための制御信号を出力する。各部１０２〜１０９は、制御部１０１から出力された制御信号に基づいて動作する。
【００２８】
また、プログラマブル表示器１００の電源がＯＦＦされた場合には、制御部１０１は、タイマー部１０８より当該電源がＯＦＦされたときのシステム終了時刻を取得する。また、ユーザの操作又は予め設定された所定時刻になったことにより、累計使用電力量を算出する旨の指示が入力された場合又はプログラマブル表示器１００の電源がＯＦＦされる指示が入力された場合には、制御部１０１は、当該指示が入力されたときの時刻とシステム開始時刻との差を算出し、プログラマブル表示器１００の稼働時間を算出する。
【００２９】
基幹電力供給部１０２には、基幹電源部９０により供給された基幹電力が入力される。この基幹電力は、プログラマブル表示器１００に接続されているＰＬＣ２００にそのまま供給される。第１の実施形態の使用電力量算出システム１０では、プログラマブル表示器１００は、基幹電源部９０とＰＬＣ２００との間に接続されている。このため、基幹電源部９０により供給された基幹電力は、プログラマブル表示器１００の駆動電流として使用されるとともに、プログラマブル表示器１００の基幹電力供給部１０２を介してＰＬＣ２００に出力される。したがって、プログラマブル表示器１００は、ＰＬＣ２００に接続された外部接続機器５００により使用される累計使用電力量を計測することができる。
【００３０】
使用電力量計測部１０３は、基幹電力供給部１０２により供給された基幹電力に基づいて、ＰＬＣ２００に供給される使用電力量を計測する。具体的には、使用電力量計測部１０３は、基幹電力供給部１０２が基幹電源部９０により供給された基幹電力に基づいて、所定時間間隔ごとに、ＰＬＣ２００に供給される電力量を当該時間間隔における使用電力量として計測する。ＰＬＣ２００に供給される電力量は、時間に関係なく均一である場合と、時間によって相当のばらつきが発生する場合とがあるため、使用電力量計測部１０３は、所定時間間隔ごとにＰＬＣ２００に供給される電力量を使用電力量として計測する。
【００３１】
第１の実施形態においては、ＰＬＣ２００に供給される電力量は、時間に関係なく均一である場合を説明する。ここで、ＰＬＣ２００に供給される電力量が時間に関係なく均一である場合とは、例えば、ＰＬＣ２００を介して接続されている外部接続機器５００の各計測機器が全て動作している場合等である。すなわち、基幹電源部９０により供給された基幹電力がプログラマブル表示器１００を介して、当該各計測機器において最大限使用される場合である。一方、ＰＬＣ２００に供給される電力量が時間によって相当のばらつきが発生する場合とは、ＰＬＣ２００を介して接続されている一部の計測機器が時間によって使用されていたり使用されていなかったりする場合等である。すなわち、基幹電源部９０により供給された基幹電力がプログラマブル表示器１００を介して、当該外部接続機器５００において最大限使用される場合と最大限使用されない場合である。
【００３２】
使用電力量計測部１０３は、この計測された使用電力量を制御部１０１に出力する。図３では、使用電力量計測部１０３は、基幹電力供給部１０２とは別の構成要素として示している。ただし、基幹電力供給部１０２が使用電力量計測部１０３の動作を行うようにしても構わない。具体的には、基幹電力供給部１０２が電力量計として機能することにより、ＰＬＣ２００に供給される使用電力量を計測するようにしても構わない。
【００３３】
指示入力部１０４は、例えば、タッチパネル等で構成され、表示部１０５上が物理的にタッチされたことを検出する。指示入力部１０４、例えば平板状のコンデンサに対して、ユーザの指又はスタイラスペンなどのポインティングデバイスを介して当該コンデンサ上が接触されたときの当該コンデンサにおける静電容量の微弱変化によって当該接触場所を検出する。指示入力部１０４は、表示部１０５上が物理的にタッチされた位置の座標値情報を取得し、この取得された座標値情報を制御部１０１に出力する。
【００３４】
表示部１０５は、ユーザがプログラマブル表示器１００を操作するときのメニュー画面、当該プログラマブル表示器１００に接続されるＰＬＣ２００等の動作状態を表示する。表示部１０５は、制御部１０１から所定の表示内容に関する制御信号に基づいて、この制御信号に含まれる制御情報に対応した内容を表示する。表示部１０５は、液晶ディスプレイ等で構成される。また、表示部１０５は、累計使用電力量算出部１０９により算出された使用電力量算出結果を表示する。
【００３５】
外部通信部１０６は、プログラマブル表示器１００に接続されているＰＣ１３０と通信を行う。外部通信部１０６とＰＣ１３０とは、ネットワークを介して接続されている。累計使用電力量算出部１０９により算出された使用電力量算出結果は、外部通信部１０６を介してＰＣ１３０に伝送される。この伝送形態は、ＬＡＮ等の有線通信でも良いし、特定小電力無線、無線ＬＡＮ又は近距離通信等の無線通信でも構わない。
【００３６】
特に無線通信の場合、ＰＣ１３０により、ＰＣ１３０が無線通信におけるマスターとして設定され、且つ、プログラマブル表示器１００が無線通信におけるスレーブとして設定されている場合には、プログラマブル表示器１００は、マスターとして設定されたＰＣ１３０のみに使用電力量算出結果を送信することができる。ただし、このマスター及びスレーブの設定は、ＰＣ１３０により切り替えることもできるし、プログラマブル表示器１００の制御部１０１により切り替えることもできる。
【００３７】
メモリ部１０７は、ハードディスク、ＲＡＭ及びＲＯＭ等により構成される。メモリ部１０７には、プログラマブル表示器１００を制御するためのシステムプログラムデータが記憶されている。また、メモリ部１０７は、制御部１０１によるワークメモリとしても使用される。制御部１０１は、プログラマブル表示器１００の電源がＯＮされたとき、メモリ部１０７からシステムプログラムデータを読み出してＲＡＭに展開し、当該システムを立ち上げてプログラマブル表示器１００を制御する。また、メモリ部１０７には、累計使用電力量算出部１０９により算出された累計使用電力量、当該算出されたときの時刻、及び当該累計使用電力量の使用時間の条件（使用電力量算出結果）が関連付けされて記憶される。
【００３８】
タイマー部１０８は、プログラマブル表示器１００内の時刻を計測し、この計測された時刻を制御部１０１に出力する。また、タイマー部１０８は、表示部１０５に表示されている操作画面内の所定の画面領域がタッチされたときの時刻情報を制御部１０１に出力する。また、タイマー部１０８は、プログラマブル表示器１００の電源がＯＮされた場合には、プログラマブル表示器１００のシステム開始時刻を制御部１０１に出力する。また、タイマー部１０８は、プログラマブル表示器１００の電源がＯＦＦされた場合には、プログラマブル表示器１００のシステム終了時刻を制御部１０１に出力する。更に、タイマー部１０８は、累計使用電力量算出部１０９により算出が行われたときの時刻を計測し、この計測された時刻を制御部１０１に出力する。
【００３９】
累計使用電力量算出部１０９は、使用電力量計測部１０３により計測された使用電力量、及び上記したプログラマブル表示器１００の稼働時間に基づいて、外部接続機器５００により使用された累計使用電力量を算出する。第１の実施形態においては、ＰＬＣ２００に供給される電力量は時間に関係なく均一であるため、ＰＬＣ２００を介して接続された外部接続機器５００の各計測機器において使用された使用電力量は、使用電力量計測部１０３により計測された使用電力量と、プログラマブル表示器１００の稼働時間との積算により算出される。
【００４０】
累計使用電力量算出部１０９は、この算出された累計使用電力量、当該算出されたときの時刻、及び当該使用電力量の使用時間の条件（使用電力量算出結果）を関連付けしてメモリ部１０７に記憶する。累計使用電力量算出部１０９は、この算出された使用電力量算出結果を制御部１０１に出力する。制御部１０１は、この出力された使用電力量算出結果を取得し、この使用電力量算出結果を表示部１０５に表示する。
【００４１】
使用電力量の使用時間の条件は、例えば、１時間単位、１日単位、１カ月単位又は１年単位で選択される。この選択された使用時間に応じて、累計使用電力量算出部１０９により累計使用電力量が算出される。例えば、累計使用電力量算出部１０９が毎日（１日単位で）累計使用電力量を算出する場合には、当該算出日における各計測機器の稼働時間及び外部接続機器情報の使用電力量に基づいて累計使用電力量を算出する。この他、累計使用電力量算出部１０９が１カ月単位で累計使用電力量を算出する場合には、例えば、当該算出日より１カ月前まで遡った各計測機器の稼働時間の合計値及び外部接続機器情報の使用電力量に基づいて累計使用電力量を算出する。１時間単位又は１年単位で使用電力量を算出する場合も同様である。また、累計使用電力量算出部１０９は、ユーザの操作により指示入力部１０４を介して指示が入力された場合、又は予め設定された時刻になりタイマー部１０８から当該時刻になった旨の信号が出力された場合には、使用電力量算出結果を表示部１０５に表示する。
【００４２】
（使用電力量算出結果の具体例）
次に、表示部１０５に表示された使用電力量算出結果の具体例について、図４及び図５を参照して説明する。図４は、第１の実施形態の使用電力量算出システム１０におけるプログラマブル表示器１００の累計使用電力量算出部１０９により算出された使用電力量算出結果の一例を示す図面である。図５は、第１の実施形態の使用電力量算出システム１０におけるプログラマブル表示器１００の累計使用電力量算出部１０９により算出された使用電力量算出結果の別の一例を示す図面である。
【００４３】
図４では、２００９年７月１日の＊＊時＊＊分を算出時刻とする７月１日の一日分における累計電力使用量［Ｗ］、当該日におけるプログラマブル表示器１００の稼働時間、及び当該電力使用量に対する使用料金［円］が表示されている。使用料金［円］は、使用電力量［Ｗ］及び稼働時間に基づいて累計使用電力量算出部１０９により算出される。ただし、使用料金を算出するための使用料金算出部を図３のプログラマブル表示器１００の内部構成に別途設けても構わない。また、図５では、２００９年７月の一カ月分の使用電力量、及び対象期間がグラフとして表示されている。このように、制御部１０１により算出された累計電力使用量［Ｗ］、稼働時間、使用料金等は、箇条的に又はグラフとして表示される。
【００４４】
（第１の実施形態の使用電力量算出システム１０における動作）
次に、図６を参照し、第１の実施形態の使用電力量算出システム１０において、プログラマブル表示器１００の電源がＯＮされて当該電源がＯＦＦされるまでの動作について説明する。図６は、第１の実施形態の使用電力量算出システム１０におけるプログラマブル表示器１００の動作を説明するフローチャートである。
【００４５】
ユーザの操作に応じてプログラマブル表示器１００の電源がＯＮされたとき、使用電力量計測部１０３は、ＰＬＣ２００を介して接続されている外部接続機器５００で使用される使用電力量を計測する（Ｓ１０１）。具体的には、使用電力量計測部１０３は、基幹電力供給部１０２が基幹電源部９０により供給された基幹電力に基づいて、所定時間ごとに、ＰＬＣ２００に供給される電力量を積算して使用電力量として計測する。また、ユーザの操作に応じてプログラマブル表示器１００の電源がＯＮされたとき、制御部１０１は、タイマー部１０８より当該電源がＯＮされたときのシステム開始時刻を取得する。
【００４６】
ユーザの操作に基づいて指示入力部１０４を介して累計使用電力量の算出の指示入力がある場合には（Ｓ１０２のＹＥＳ）、制御部１０１は、電源がＯＮされたときの時刻を基準に当該指示入力があるまでの経過時間を計測する。制御部１０１は、この計測された経過時間を累計使用電力量算出部１０９に出力する。累計使用電力量算出部１０９は、制御部１０１により出力された経過時間を取得すると共に、使用電力量計測部１０３により計測された使用電力量と当該経過時間とを乗じて累計使用電力量を算出する（Ｓ１０４）。
【００４７】
また、累計使用電力量の算出の指示入力がない場合には（Ｓ１０２のＮＯ）、プログラマブル表示器１００は、その時点の使用時における画面等を表示する（Ｓ１０３）。その後、プログラマブル表示器１００は、プログラマブル表示器１００の電源がＯＦＦされる指示入力がされるまで待機する（Ｓ１０６）。
【００４８】
プログラマブル表示器１００の制御部１０１は、Ｓ１０４で算出された使用電力量算出結果を表示部１０５に表示する（Ｓ１０５）。ユーザの操作又は予め設定された所定時刻になったことにより、プログラマブル表示器１００の電源がＯＦＦされる旨の指示入力がなされる。この場合には（Ｓ１０６のＹＥＳ）、プログラマブル表示器１００の制御部１０１は、電源がＯＮされたときの時刻を基準に当該電源がＯＦＦされる旨の指示入力があるまでの経過時間（稼働時間）を計測し、この計測された経過時間を累計使用電力量算出部１０９に出力する。累計使用電力量算出部１０９は、使用電力量計測部１０３により出力された使用電力量と、制御部１０１により出力された経過時間を乗じた累計使用電力量を算出する（Ｓ１０７）。このとき、累計使用電力量算出部１０９は、この算出された累計使用電力量、当該算出されたときの時刻、及び当該使用電力量の使用時間の条件（使用電力量算出結果）を関連付けしてメモリ部１０７に記憶しても構わない。一方、プログラマブル表示器１００の電源がＯＦＦされる旨の指示入力がなされない場合には、プログラマブル表示器１００は動作を継続する（Ｓ１０６のＮＯ）。
【００４９】
プログラマブル表示器１００の制御部１０１は、この算出された累計使用電力量、当該算出されたときの時刻、及び当該累計使用電力量の使用時間の条件を外部通信部１０６に出力する。外部通信部１０６は、制御部１０１から、算出された累計使用電力量、当該算出されたときの時刻、及び当該累計使用電力量の使用時間の条件を取得する。外部通信部１０６は、この取得された累計使用電力量、当該算出されたときの時刻、及び当該累計使用電力量の使用時間の条件をＰＣ１３０に送信する（Ｓ１０８）。
【００５０】
これら累計使用電力量、当該算出されたときの時刻、及び当該累計使用電力量の使用時間の条件がＰＣ１３０に送信された場合には（Ｓ１０９のＹＥＳ）、プログラマブル表示器１００は、Ｓ１０６による指示入力にしたがって、プログラマブル表示器１００の電源をＯＦＦして終了する。また、累計使用電力量、当該算出されたときの時刻、及び当該累計使用電力量の使用時間の条件がＰＣ１３０に送信されなかった場合には（Ｓ１０９のＮＯ）、プログラマブル表示器１００の外部通信部１０６は、ＰＣ１３０に向けて再送する。
【００５１】
以上のように、第１の実施形態の使用電力量算出システム１０では、基幹電源部９０により出力された基幹電力は、プログラマブル表示器１００の基幹電力供給部１０２を介してＰＬＣ２００に出力される。ＰＬＣ２００と外部接続機器５００とは電気的に並列接続されているため、基幹電源部９０により出力された基幹電力は、プログラマブル表示器１００及びＰＬＣ２００を介して、外部接続機器５００により電力として使用される。また、ＰＬＣ２００に供給される電力量は、時間に関係なく均一である場合においては、この基幹電力に対する電力量が使用電力量計測部１０３により計測され、この電力量とプログラマブル表示器１００の稼働時間とが乗じて累計使用電力量が算出される。
【００５２】
したがって、第１の実施形態の使用電力量算出システム１０では、外部接続機器５００により使用された電力量を個別に測定するための測定機器を導入せず、当該外部接続機器５００により使用された電力量をプログラマブル表示器１００により一括に算出し、当該算出された結果をプログラマブル表示器１００の表示部１０５又はＰＣ１３０に対して、表示又は送信することができる。
【００５３】
（第１の実施形態の変形例）
次に、第１の実施形態の使用電力量算出システム１０の変形例について説明する。第１の実施形態の使用電力量算出システム１０の変形例では、第１の実施形態の使用電力量算出システム１０のプログラマブル表示器１００における制御部１０１、メモリ部１０７及びタイマー部１０８の動作が相違する。この相違について説明し、第１の実施形態と同一の内容に関しては、当該説明を省略する。
【００５４】
プログラマブル表示器１００の制御部１０１は、第１の実施形態のプログラマブル表示器１００の制御部１０１の動作内容に加え、累計使用電力量算出部１０９により算出された累計使用電力量が後述する上限値Ａ以上であるか、又は下限値Ｂ未満であるかのいずれかを満たすか否かを判定する。制御部１０１は、累計使用電力量が上限値Ａ以上であると判定した場合、又は累計使用電力量が下限値Ｂ未満であると判定した場合には、使用電力量算出システム１０が異常状態であると判定し、当該異常状態であることを示すアラート情報を表示部１０５に表示する。また、制御部１０１は、表示部１０５に表示されたアラート情報に関する内容、及びタイマー部１０８により出力された当該アラート情報の生成時刻を関連付けたアラート関連情報をメモリ部１０７に記憶する。
【００５５】
アラート情報は表示部１０５に表示されるだけとは限らない。例えば、制御部１０１は、アラート情報をユーザに通知する際、プログラマブル表示器１００に予め配置されたＬＥＤランプ又はブザー等を介して、使用電力量算出システム１０が異常状態であることを報知するようにしても構わない。
【００５６】
プログラマブル表示器１００のメモリ部１０７は、第１の実施形態のプログラマブル表示器１００のメモリ部１０７の動作内容に加え、使用電力量算出システム１０の動作の正常状態を示す所定の範囲（下限値Ａ〜上限値Ｂ）を示す正常状態情報を記憶する。累計使用電力量がこの所定の範囲に含まれない場合には、累計使用電力量が急激に増加した又は急激に減少したことにより、制御部１０１は、使用電力量システム１０が異常状態であると判定する。
【００５７】
下限値Ａとは、使用電力量算出システム１０の正常状態を示す所定の範囲の下限値である。上限値Ａとは、使用電力量算出システム１０の正常状態を示す所定の範囲の上限値である。ここで、使用電力量算出システム１０が異常状態である場合とは、基幹電源部９０からプログラマブル表示器１００及びＰＬＣ２００を介して外部接続機器５００に供給された電力以上の電力が外部接続機器５００で使用された場合、又は外部接続機器５００に供給された電力よりも相当に低い電力しか使用されなかった場合を指す。
【００５８】
また、メモリ部１０７は、制御部１０１により出力されたアラート情報の内容及びタイマー部１０８により出力された当該アラート情報の生成時刻が関連付けされたアラート関連情報を記憶する。
【００５９】
タイマー部１０８は、制御部１０１によりアラート情報が生成されたときの時刻を計測し、この計測された時刻を制御部１０１に出力する。
【００６０】
上記した算出された累計使用電力量が使用電力量算出システム１０の正常状態を示す範囲に含まれるか否かの判定の処理タイミングは、図５に示すフローチャートにおいて、Ｓ１０４による累計使用電力量算出の処理、又はＳ１０７による累計使用電力量算出の処理のいずれかの処理の後に行われる。また、Ｓ１０４による累計使用電力量算出の処理及びＳ１０７による累計使用電力量算出の処理の後に、上記した判定が行われるようにしても構わない。
【００６１】
以上のように、第１の実施形態の変形例による使用電力量算出システム１０では、累計使用電力量算出部１０９により算出された累計使用電力量が使用電力量算出システム１０の正常状態を示す所定の範囲に含まれるか否かが判定される。この判定の結果、算出された使用電力量が当該所定の範囲に含まれないと判定された場合には、制御部１０１は、アラート情報を表示部１０５に表示する。また、このアラート情報は、メモリ部１０７にログとして記憶される。
【００６２】
したがって、第１の実施形態の変形例による使用電力量算出システム１０では、外部接続機器５００により使用された電力量を個別に測定するための測定機器を導入せず、当該外部接続機器５００により使用された電力量をプログラマブル表示器１００により一括に算出し、当該算出された結果をプログラマブル表示器１００の表示部１０５又はＰＣ１３０に対して、表示又は送信することができる。更に、第１の実施形態の変形例による使用電力量算出システム１０では、算出された累計使用電力量の値に基づいて、使用電力量算出システム１０が正常状態であるか否かが判定される。この判定の結果、使用電力量算出システム１０が異常状態であると判定された場合には、ユーザに対してアラート情報が表示されるため、使用電力量算出システム１０の異常状態にいち早く認知し、当該異常状態に対する対応を採ることができる。
【００６３】
以上、添付図面を参照しながら各種の実施形態について説明したが、本発明の入力装置はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６４】
第１の実施形態では、ＰＬＣ２００に供給される電力量は、時間に関係なく均一である場合に相当する。このため、プログラマブル表示器１００の稼働時間と、当該均一な電力量との積算によって累積使用電力量が算出される。しかし、上記したように、ＰＬＣ２００に供給される電力量は、時間によって相当のばらつきが発生する場合がある。この場合には、プログラマブル表示器１００の稼働時間と、使用電力量計測部１０３により計測された電力量との積算によって算出された累積使用電力量は正確な累積使用電力量にならない可能性が高い。
【００６５】
したがって、ＰＬＣ２００に供給される電力量が時間によって相当のばらつきが発生する場合には、累積使用電力算出部１０９は、累積使用電力量の算出においてプログラマブル表示器１００の稼働時間を用いない。具体的には、累積使用電力量算出部１０９は、使用電力量計測部１０３から、所定時間ごとに計測された電力量を取得し、この取得された所定時間ごとの電力量を積算して累積使用電力量を算出する。
【００６６】
また、使用電力量算出システム１０が正常状態であることを示す正常状態情報の下限値Ａ及び上限値Ｂに関して、プログラマブル表示器１００を使用するユーザが任意に定めることができるようにしても構わない。
【００６７】
また、メモリ部１０７に記憶されるアラート関連情報は、プログラマブル表示器１００の外部通信部１０６を介してＰＣ１３０に送信されるようにしても構わない。
【００６８】
また、プログラマブル表示器１００の電源がＯＦＦされた場合には、累計使用電力量算出部１０９が、当該電源がＯＦＦされたときのシステム終了時刻をタイマー部１０８より取得するようにしても構わない。また、累計使用電力量を算出する旨の指示が入力された場合、又はプログラマブル表示器１００の電源がＯＦＦされる指示が入力された場合には、累計使用電力量算出部１０９が、当該指示が入力されたときの時刻とシステム開始時刻との差を算出し、プログラマブル表示器１００の稼働時間を算出するようにしても構わない。
【符号の説明】
【００６９】
１０            使用電力量算出システム
９０            基幹電源部
１００          プログラマブル表示器
１０１          制御部
１０２          基幹電力供給部
１０３          使用電力量計測部
１０４          指示入力部
１０５          表示部
１０６          外部通信部
１０７          メモリ部
１０８          タイマー部
１０９          累計使用電力量算出部
１３０          ＰＣ
２００          ＰＬＣ
５００          外部接続機器
５０１          コンベヤ
５０２          計測機
５０３          バーコードリーダ
５０４          レーザーマーカ
５０５          画像処理機
５０６          ＲＦＩＤリーダ
５０７          センサ
【図１】
2011089911.tif 000003
【図２】
2011089911.tif 000004
【図３】
2011089911.tif 000005
【図４】
2011089911.tif 000006
【図５】
2011089911.tif 000007
【図６】
2011089911.tif 000008